(57)【要約】【課題】上面パネルを前面グリルに取り付けるに際して、取付／取り外し時の操作力の変動を少なくし、また、安定した取付状態を得る。【解決手段】上面パネル２０の前端側に、前辺部２２と後辺部２３とを有し上方に開口する断面略Ｕ字形の取付操作部２１が設けられ、該取付操作部の後辺部は後方へ突出する爪部２４を備えると共に、前辺部と後辺部とが前後方向へ相対的に弾性変位可能とされており、前面グリル１０の上側を覆う上面パネルは、取付操作部を前面グリルの開口部１３に上方から挿入させることにより、取付操作部の爪部が前面グリルの各係合突起部１５に係合し、且つ、前面グリルの立壁１４の直後側に前辺部が位置した状態で、前面グリルに取り付けられており、立壁と前辺部との間隔が爪部の係合突起部に対する前後方向の係合量よりも小さくなるように設定されていることを特徴とする。【選択図】  図９
2004150739.tif 000002
【特許請求の範囲】
【請求項１】
空気調和機の筐体の一部を構成する前面グリルに、該前面グリルの上側の少なくとも前部を覆う上面パネルを取り付ける上面パネルの取付構造であって、
上記上面パネルの前端側に、前辺部と後辺部とを有し上方に開口する断面略Ｕ字形に形成された取付操作部が設けられ、該取付操作部の上記後辺部には後方へ突出する爪部が設けられるとともに、上記前辺部と後辺部とが前後方向へ相対的に弾性変位可能に設定されており、
上記前面グリルの前端側には、上記取付操作部を上方から挿入させ得る開口部が形成されると共に、上記取付操作部が上記開口部に挿入された状態でその前辺部の前側に位置する立壁が形成され、該立壁の所定距離後方には、幅方向に所定長さ延び上記取付操作部の爪部と係合し得る係合突起部が設けられており、
上記上面パネルは、上記取付操作部を上記前面グリルの開口部に上方から挿入させることにより、上記取付操作部の爪部が上記係合突起部に係合し、且つ、上記前面グリルの立壁の直後側に上記取付操作部の前辺部が位置した状態で、上記前面グリルに取り付けられており、
上記前面グリルの立壁と上記取付操作部の前辺部との間隔が、上記取付操作部の爪部の上記係合突起部に対する前後方向の係合量よりも小さくなるように設定されている、
ことを特徴とする空気調和機の上面パネルの取付構造。
【請求項２】
上記取付操作部は少なくとも上記上面パネルの幅方向の両端部またはその近傍にそれぞれ設けられており、
上記前面グリルの幅方向の略中央部には、上記上面パネルの前方への膨出を規制する規制部が設けられている、
ことを特徴とする請求項１記載の空気調和機の上面パネルの取付機構。
【発明の詳細な説明】
【０００１】
【発明の属する技術分野】
この発明は、空気調和機の上面パネルの取付構造、より詳しく言えば、空気調和機の筐体の一部を構成する前面グリルに、該前面グリルの上側の少なくとも前部を覆う上面パネルを取り付ける上面パネルの取付構造に関する。
【０００２】
【従来の技術】
上記のように空気調和機の前面グリルに上面パネルを取り付ける場合、該上面パネルを前面グリルに対してスライド可能に設けると共に、前面グリル側と上面パネル側に例えば爪状／溝状などの係合部をそれぞれ固定的に設けておき、上面パネルを前面グリルに対しスライドさせて互いの係合部を係合させることにより、取り付けるのが一般的である。
【０００３】
このような取付構造として、例えば、特許文献１には、上面グリルを化粧枠に対してスライド可能に設けると共に、上面グリルには固定用爪を、化粧枠には固定用溝を形成した構造が開示されている。
【０００４】
【特許文献１】
特開平１１−２３０００号公報
【０００５】
【発明が解決しようとする課題】
ところが、従来の構造では、上面パネルのスライド動作による取付／取り外しが繰り返されると、互いの係合部が摩耗して係合状態が緩くなり、取付作業を行う際に、係合部の所謂クリック感が失われると共にスライド操作力も変動し、取付操作性が悪くなる等の不具合が生じる惧れがある。
【０００６】
また、従来のスライド式の取付構造では、前面グリル側と上面パネル側にそれぞれ固定して設けられた爪状／溝状などの係合部どうしを、上面パネルのスライド動作に伴って係合および離脱させるものであるので、前面グリル及び上面パネルそれぞれの単品での形状および寸法誤差の影響を直接に受けることになる。
【０００７】
周知のように、上記前面グリル及び上面パネルの両部品は、通常、樹脂成形によって製作されるが、樹脂成形品としては比較的大型の部品でもあり、形状および寸法について精度を高めるにしても限りがある。
このため、たとえ両部品の形状および寸法が共に製作公差の許容範囲内の精度に維持されていても、両者を組み合わせて取り付けた状態では、係合爪が深く掛り過ぎて取り外しか困難になる、或いは、係合が浅すぎてガタツキが生じ、極端な場合には係合が外れてしまうなど、良好な係合状態を安定して得ることが難しいという問題があった。
【０００８】
この発明は、上記技術的課題に鑑みてなされたもので、上面パネルを前面グリルに取り付けるに際して、取付／取り外し時の操作力の変動が少なく、また、安定した取付状態を得ることができる空気調和機の上面パネル取付構造を提供することを目的とする。
【０００９】
【課題を解決するための手段】
このため、本願第１の発明に係る空気調和機の上面パネルの取付構造は、空気調和機の筐体の一部を構成する前面グリルに、該前面グリルの上側の少なくとも前部を覆う上面パネルを取り付ける上面パネルの取付構造であって、上面パネルの前端側に、前辺部と後辺部とを有し上方に開口する断面略Ｕ字形に形成された取付操作部が設けられ、この取付操作部の後辺部には後方へ突出する爪部が設けられるとともに、前辺部と後辺部とが前後方向へ相対的に弾性変位可能に設定されている。一方、上記前面グリルの前端側には、取付操作部を上方から挿入させ得る開口部が形成されると共に、取付操作部が開口部に挿入された状態でその前辺部の前側に位置する立壁が形成され、該立壁の所定距離後方には、幅方向に所定長さ延び上記取付操作部の爪部と係合し得る係合突起部が設けられている。そして、上面パネルは、上記取付操作部を前面グリルの開口部に上方から挿入させることにより、取付操作部の爪部が上記係合突起部に係合し、且つ、前面グリルの立壁の直後側に取付操作部の前辺部が位置した状態で、前面グリルに取り付けられており、前面グリルの立壁と取付操作部の前辺部との間隔が、取付操作部の爪部の係合突起部に対する前後方向の係合量よりも小さくなるように設定されている、ことを特徴としたものである。
【００１０】
この場合、取付操作部の爪部が係合突起部から前後方向へ外れることが確実に防止される。また、上面パネルの取付操作部と前面グリルの係合突起部および立壁との前後方向の位置関係の変動が、取付操作部の弾性変位可能な範囲内で吸収され、しかも、係合突起部の幅方向へ延びる所定長さの範囲内で上面パネルの取付操作部と前面グリルの係合突起部との幅方向の位置関係の変動が吸収される。
【００１１】
また、本願第２の発明は、上記第１の発明において、上記取付操作部は少なくとも上面パネルの幅方向の両端部またはその近傍にそれぞれ設けられており、前面グリルの幅方向の略中央部には、上面パネルの前方への膨出を規制する規制部が設けられていることを特徴としたものである。
【００１２】
この場合には、上面パネルを前面グリルに取り付けた状態で、上面パネルの幅方向の略中央部分については、前面グリルに設けた規制部により前方への膨出が規制される。
【００１３】
【発明の実施の形態】
以下、本発明の実施の形態を添付図面に基づいて詳細に説明する。
図１，図２及び図３は、本実施の形態に係る前面グリルの全体構成を概略的に示す斜視図、平面説明図および正面説明図である。また、図４は図１の要部Ｙ４を拡大した斜視図で、後述する上面パネルに対する前面グリルの係合部を示している。
【００１４】
これらの図に示すように、空気調和機の筐体の一部（主要部）を構成する前面グリル１０の上部前側には、幅方向（図１の矢印Ｈ及びＭ参照）の略中央に位置し前後方向（図１の矢印Ｆ及びＲ参照）に延びる中央リブ１１で左右に仕切られた比較的大きな開口部１３が形成されると共に、該開口部１３の前側には所定高さまで立ち上がる立壁１４が設けられている。
【００１５】
また、前面グリル１０の開口部１３の左右両端側には、前後方向に延びるサイドリブ１２がそれぞれ設けられ、各サイドリブ１２の所定位置には、幅方向に所定長さ延びる係合突起１５が一体的に設けられている。これら係合突起１５は、上記立壁１４の所定距離だけ後方（矢印Ｒ参照）に位置設定され、各サイドリブ１２から開口部１３の内側（つまり、中央側）に向かって延びている。
【００１６】
更に、前面グリル１０の中央リブ１１には、立壁１４から一定距離だけ後方へ離間した位置に、上方に延びる係止フック１６が一体的に設けられている。この係止フック１６及び上記一対の係合突起１５は何れも、後述するように、上面パネルの取付に用いられるものである。
尚、上記前面グリル１０は、好ましくは、合成樹脂材料を用いて例えば射出成形法により製作されたものである。
【００１７】
図５及び図６は、上記前面グリルの上側の少なくとも前部（本実施の形態では、上側の略全体）を覆う上面パネルの全体構成を概略的に示す斜め上方および斜め下方からの斜視図である。
これらの図に示すように、上面パネル２０の幅方向（図５及び図６の矢印Ｈ及びＭ参照）の両端部またはその近傍における前端側に、一対の取付操作部２１が設けられている。これら取付操作部２１は、上面パネル２０を前面グリル１０に取り付けた際に、該前面パネル１０の係合突起１５に対応する部位に位置設定されている。
【００１８】
図６の部分拡大図から良く分かるように、上記取付操作部２１は、薄板状の前辺部２２と後辺部２３とを有し上方に開口する断面略Ｕ字形に形成され、上記後辺部２３の所定部位には後方（図６の矢印Ｒ方向）へ所定量だけ突出する爪部２４が設けられている。また、この後辺部２３は前辺部２２よりも上方に延びており、この延長部分が操作摘み部２３ｂ（図５参照）を構成している。尚、右側の取付操作部２１も、部分的に拡大して示された左側のものと同様に構成されている。
【００１９】
上面パネル２０も、前面グリル１０と同じく、合成樹脂材料を用いて例えば射出成形法により製作されたものであり、上記取付操作部２１は、前辺部２２と後辺部２３とを備えて薄板状の断面略Ｕ字形に形成されることにより、上記前辺部２２と後辺部２３とが前後方向（図６の矢印Ｆ及び矢印Ｒ方向）へ相対的に弾性範囲内で変位することができる。
【００２０】
図７及び図８は、上記前面グリル１０に上面パネル２０を取り付けた状態を示す平面説明図および正面説明図である。また、図９は、上記図７のＹ９−Ｙ９線に沿った前面グリル１０及び上面パネル２０の断面説明図である。
これらの図に示すように、前面グリル１０の上側を覆う上面パネル２０は、上面パネル２０に形成された左右の取付操作部２１を前面グリル１０の左右の係合突起１５にそれぞれ係合させることにより、前面グリル１０に取り付けられている。
【００２１】
すなわち、上面パネル２０を取り付ける際には、各取付操作部２１を前面グリル１０の左右の係合突起１５に対し例えば目視により位置合わせした上で、前面グリル１０の開口部１３に上方から挿入させて、各取付操作部２１の後辺部２３の爪部２４を前面グリル１０の係合突起１５にそれぞれ係合させる。このとき、取付操作部２１の前辺部２２と後辺部２３とが前後方向へ相対的に弾性変位可能であるので、その弾性と弾性反力により係合時のクリック感が得られる。
【００２２】
また、上記係合突起１５は、幅方向に所定長さ延びているので、この長さの範囲内で上面パネル２０の取付操作部２１と前面グリル１０の係合突起１５との幅方向の位置関係の変動を吸収することができる。つまり、前面グリル１０及び上面パネル２０それぞれの単品での、幅方向における形状および寸法誤差の影響を軽減することができる。
【００２３】
上記のように、上面パネル２０の各取付操作部２１に設けた爪部２４を前面グリル１０の係合突起１５にそれぞれ係合させることにより、上面パネル２０は、前面グリル１０の立壁１４の直後側に各取付操作部２１の前辺部２２が位置した状態で、前面グリル１０に取り付けられる。
【００２４】
図１１及び図１２は、上面パネル２０の取付操作部２１の前面グリル１０の係合突起１５への係合状態を例示する拡大断面説明図であり、図１１は取付操作部２１の前辺部２２が前面グリル１０の立壁１４に当接した状態を例示し、図１２は上記前辺部２２と立壁１４との間に隙間（間隔Ａ）が生じた状態を例示している。
【００２５】
これらの図に詳しく示されるように、本実施の形態では、好ましくは、取付操作部２１の前辺部２２は、その上部が略Ｌ字状に折り曲げられた形状に形成されると共に、リブ２２ａで補強された構成を備えている。従って、上面パネル２０を前面グリル１０に対して脱着させる際に、上記取付操作部２１の操作摘み部２３ｂを摘んだ場合、前辺部２２は殆ど撓まずに後辺部２３が前方（図１１及び図１２の矢印Ｆ方向）へ撓むことにより、後辺部２３が前辺部２２に対して前方へ相対的に弾性変位し、両辺部２２，２３の間隔Ｃが狭まるようになっている。
【００２６】
すなわち、上面パネル２０を前面グリル１０から取り外す際には、上記取付操作部２１の操作摘み部２３ｂを摘むことにより、該操作摘み部２３ｂは、上面パネル２０を取り外す方向に撓むことになり、取り外し操作性が良い。
【００２７】
また、上面パネル２０を取り外す際の上記操作摘み部２３ｂの摘み量（操作量）、つまり、後辺部２３と前辺部２２の間隔Ｃについては、取付操作部２１の前辺部２２と立壁１４との間に隙間が生じている場合（図１２参照）でも、前辺部２２が立壁１４に当接している場合（図１１参照）でも、上記間隔Ｃ自体は同じである。
【００２８】
従って、前面グリル１０及び上面パネル２０それぞれの単品での、前後方向における形状および寸法誤差の影響により、取付操作部２１の前辺部２２と立壁１４との前後方向の位置関係に変動が生じても、上記操作摘み部２３ｂの操作性が大きく影響を受けることはなく、取付／取り外し時の操作力の変動を抑制することができる。
【００２９】
本実施の形態では、例えば図１２に詳しく示されるように、前面グリル１０の立壁１４と取付操作部２１の前辺部２２との間に隙間が生じた場合でも、その間隔Ａの最大値が、取付操作部２１の爪部２４の係合突起１５に対する前後方向（図１２の矢印Ｆ及び矢印Ｒの方向）の係合量Ｂの最小値よりも小さくなるように設定されている（Ａ＜Ｂ）。従って、上記爪部２４が係合突起１５から不用意に前後方向に外れることが、確実に防止されるのである。
【００３０】
このように、取付操作部２１の前辺部２２と後辺部２３とが前後方向へ相対的に弾性変位可能に設定されていることにより、上面パネル２０の取付操作部２１と前面グリル１０の係合突起部１５および立壁１４との前後方向の位置関係の変動を、取付操作部２１の両辺部２２，２３が弾性変位可能な範囲内で吸収することが可能になる。つまり、前面グリル１０及び上面パネル２０それぞれの単品での、前後方向における形状および寸法誤差の影響を軽減することができる。
【００３１】
尚、本実施の形態では、より好ましくは、上記取付操作部２１の前辺部２２の前端部に、所定量だけ前方（図１１及び図１２の矢印Ｆ方向）へ突出する突出片部２２ｐが一体的に形成されている。そして、例えば、この突出片部２２ｐの前端部を削る等して、その前方への突出量を調節することにより、前面グリル１０及び上面パネル２０それぞれの単品での、前後方向における形状および寸法誤差の影響を、より一層軽減することができるようになっている。
【００３２】
また、本実施の形態では、前述のように、前面グリル１０の中央リブ１１に、立壁１４から一定距離だけ後方へ離間した位置に、上方へ延びる係止フック１６が一体的に設けられている。一方、図６に示されるように、上面パネル２０の前端側（図６の矢印Ｆ方向側）の略中央部分には、上記係止フック１６を挿通させる穴部２５と、係止フック１６係止させる係止片部２６が設けられている。
【００３３】
図１０は、上面パネル２０の中央部分の係止構造を模式的に示す部分断面図である。上面パネル２０の各取付操作部２１が前面グリル１０の各係合突起１５に係合することにより、上面パネル２０がその左右の両端近傍で前面グリル１０に係合し取り付けられた状態では、上面パネル２０の幅方向の略中央部分については、上記図１０に示されるように、前面グリル１０の係止フック１６が、上面パネル１０の略中央部分の上記穴部２５を下方から挿通し、係止片部２６を係止し得るようになっている。
【００３４】
かかる係止機構を設けたことにより、上面パネル２０を前面グリル１０に取り付けた際に、上面パネル２０の幅方向における中央部分が前方へ膨出することを規制できる。そして、見映えが良く、また、より一層安定した取付状態を得ることができるのである。
【００３５】
尚、本発明は、以上の実施態様に限定されるものではなく、その要旨を逸脱しない範囲において、種々の改良あるいは設計上の変更が可能であることは言うまでもない。
【００３６】
【発明の効果】
本願の第１の発明に係る空気調和機の上面パネル取付構造によれば、上面パネルは、該上面パネルに設けた取付操作部を前面グリルの開口部に上方から挿入させることにより、取付操作部の爪部が前面グリルの係合突起部に係合し、且つ、前面グリルの立壁の直後側に取付操作部の前辺部が位置した状態で、上記前面グリルに取り付けられる。そして、前面グリルの立壁と取付操作部の前辺部との間隔が、取付操作部の爪部の係合突起部に対する前後方向の係合量よりも小さくなるように設定されているので、上記爪部が係合突起部から不用意に前後方向に外れることが確実に防止される。
この場合において、上記取付操作部の前辺部と後辺部とが前後方向へ相対的に弾性変位可能に設定されているので、上面パネルの取付操作部と前面グリルの係合突起部および立壁との前後方向の位置関係の変動を、取付操作部の上記弾性変位可能な範囲内で吸収することが可能になる。また、上記係合突起部は、幅方向に所定長さ延びているので、この長さの範囲内で上面パネルの取付操作部と前面グリルの係合突起部との幅方向の位置関係の変動を吸収することが可能になる。従って、上面パネルを前面グリルに取り付けるに際して、前面グリル及び上面パネルそれぞれの単品での形状および寸法誤差の影響を軽減し、より安定した取付状態を得ることができる。また、従来、上面パネルをスライドさせて前面グリルとの係合／離脱を行わせるようにしていた場合のように、係合部分の摩耗によってクリック感が低下することはなく、上面パネル取付／取り外し時の操作力の変動も抑制できる。
【００３７】
また、本願の第２の発明によれば、基本的に、上記第１の発明の作用効果を奏することができる。特に、少なくとも上面パネルの幅方向の両端部またはその近傍にそれぞれ設けられた取付操作部で、上面パネルを前面グリルに取り付けた状態で、上面パネルの幅方向の略中央部分については、前面グリルに設けた規制部により、前方への膨出を規制することができ、見映えが良く、また、より一層安定した取付状態を得ることができる。
【図面の簡単な説明】
【図１】本発明の実施の形態に係る空気調和機の前面グリルの全体構成を概略的に示す斜視図である。
【図２】上記前面グリルの平面説明図である。
【図３】上記前面グリルの正面説明図である。
【図４】図１の要部Ｙ４を拡大して示す斜視図である。
【図５】上記空気調和機の上面パネルの斜め上方からの全体斜視図である。
【図６】上記上面パネルの斜め下方からの全体斜視図である。
【図７】上面パネル取付状態での上記前面グリルを示す平面説明図である。
【図８】上面パネル取付状態での上記前面グリルを示す正面説明図である。
【図９】図７のＹ９−Ｙ９線に沿った上面パネル及び前面グリルの断面説明図である。
【図１０】上面パネルの中央部分の係止構造を模式的に示す部分断面図である。
【図１１】上面パネルの取付操作部の前面グリルの係合突起への係合状態の一例を示す拡大断面図である。
【図１２】上記取付操作部の係合突起への係合状態の他の例を示す拡大断面図である。
【符号の説明】
１０…前面グリル
１３…（前面グリルの）開口部
１４…立壁
１５…係合突起
１６…係止フック
２０…上面パネル
２１…取付操作部
２２…前辺部
２３…後辺部
２４…爪部
２５…（上面パネルの）穴部
２６…（上面パネルの）係止部
Ａ…立壁と前辺部との間隔
Ｂ…爪部の係合突起に対する前後方向の係合量
【図１】
2004150739.tif 000003
【図２】
2004150739.tif 000004
【図３】
2004150739.tif 000005
【図４】
2004150739.tif 000006
【図５】
2004150739.tif 000007
【図６】
2004150739.tif 000008
【図７】
2004150739.tif 000009
【図８】
2004150739.tif 000010
【図９】
2004150739.tif 000011
【図１０】
2004150739.tif 000012
【図１１】
2004150739.tif 000013
【図１２】
2004150739.tif 000014